(57)【要約】【課題】ウエルドの視認がしにくく、良好な表示品位を保つと共に、立体感及び宝飾的効果をもたらすことができる導光板を提供する。【解決手段】導光板の正面に目盛りに対応した凹部２３６Ａが設けられる。凹部２３６Ａには、導光板の正面に対して傾いた複数の傾斜面Ｓ1〜Ｓ16が設けられている。凹部２３６Ａの短手方向Ｙ１に沿って少なくとも３つの傾斜面が設けられている凹部２３６Ａの長手方向Ｙ２に沿って少なくとも３つの傾斜面が設けられている。【選択図】図８
2008008826.tif 000002
【特許請求の範囲】
【請求項１】
正面に目盛りに対応した凹部が形成された導光板において、
前記凹部の一つに前記導光板の正面に対して傾斜する複数の傾斜面が、設けられ、
そして、
前記凹部の短手方向に沿って少なくとも３つの前記傾斜面が、設けられている
ことを特徴とする導光板。
【請求項２】
前記凹部の長手方向に沿って少なくとも３つの前記傾斜面が、設けられていることを特徴とする請求項１記載の導光板。
【請求項３】
正面に目盛りに対応した凹部が形成された導光板において、
前記凹部の一つに前記導光板の正面に対して傾斜する複数の傾斜面が、設けられ、
そして、
前記凹部の長手方向に沿って少なくとも３つの前記傾斜面が、設けられている
ことを特徴とする導光板。
【発明の詳細な説明】
【技術分野】
【０００１】
本発明は、導光板に係り、特に、正面に目盛りに対応した凹部が形成された導光板に関するものである。
【背景技術】
【０００２】
上述した導光板を組み込んだ指針装置として、例えば、図１３に示されたものが知られている（特許文献１）。同図に示すように、指針装置は、文字板１００と、この文字板１００の正面に設けた指針１１０とを備えている。文字板１００は、同図（Ｃ）に示すように、導光板１０１と、この導光板１０１の正面に設けられた不透明層１０２とを有している。不透明層１０２には、例えば速度を表す数字１０３や、目盛り１０４が切り抜いて形成されている。以上の構成によれば、導光板１０１に光が導かれると、数字１０３及び目盛り１０４が光輝して視認される。
【０００３】
また、導光板１０１の背面には、同図（Ｂ）に示すように、目盛り１０４に対応した一つの凹部１０５が設けられている。この凹部１０５には、導光板１０１の表面に対して傾斜する４つの傾斜面１０５Ａ〜１０５Ｄが設けられている。また、凹部１０５は、図１３（Ｃ）に示すように、断面Ｖ字状に形成されている。即ち、凹部１０５は、短手方向に沿って２つの傾斜面１０５Ａ、１０５Ｂが設けられている。これにより、導光板１０１を導光する光は、同図（Ｃ）中の矢印にて示すように進み、傾斜面１０５Ａ〜１０５Ｄで反射して、運転者側に向かって進む。この反射光により凹部１０５が目盛りとして視認される。
【特許文献１】特開２００３−３０２２６２号公報
【発明の開示】
【発明が解決しようとする課題】
【０００４】
しかしながら、上述した凹部１０５は、短手方向に沿って２つの傾斜面１０５Ａ、１０５Ｂが設けられている。そして、この２つの傾斜面１０５Ａ、１０５Ｂは導光板１０１の表面に対して同じ角度で傾いていて、正面側から視認すると２つの傾斜面１０５Ａ、１０５Ｂはほぼ同じ輝度で輝いて見える。ところで、同図（Ｃ）に示すように、凹部１０５を形成する際に、傾斜面１０５Ａと傾斜面１０５Ｂとの間にウエルドＷが生じることがある。ウエルドＷでは光が拡散されるため、２つの傾斜面１０５Ａ、１０５Ｂよりも暗く視認される。
【０００５】
従来の導光板１０１においては、同じ輝度で輝く２つの傾斜面１０５Ａ、１０５Ｂに挟まれた状態でウエルドＷが視認されるため、ウエルドＷが目立ち外観不良となり良好な表示品位を保つことができない問題があった。
【０００６】
本発明はかかる問題を解決することを目的としている。即ち、本発明は、ウエルドの視認がしにくく、良好な表示品位を保つと共に、立体感及び宝飾的効果をもたらすことができる導光板を提供することを課題とする。
【課題を解決するための手段】
【０００７】
上記課題を解決するためになされた請求項１記載の発明は、正面に目盛りに対応した凹部が形成された導光板において、前記凹部の一つに前記導光板の正面に対して傾斜する複数の傾斜面が、設けられ、そして、前記凹部の短手方向に沿って少なくとも３つの前記傾斜面が、設けられていることを特徴とする導光板に存する。
【０００８】
請求項１記載の発明によれば、凹部の短手方向に沿って少なくとも３つの傾斜面が設けられているので、各傾斜面がそれぞれ異なる輝度でキラキラ光って見える。即ち、それぞれ異なる輝度で光る傾斜面に凹部形成時に生じるウエルドが挟まれるため、ウエルドが視認しにくくなる。
【０００９】
請求項２記載の発明は、凹部の長手方向に沿って少なくとも３つの前記傾斜面が、設けられていることを特徴とする請求項１記載の導光板に存する。
【００１０】
請求項２記載の発明によれば、凹部の長手方向に沿って少なくとも３つの前記傾斜面が、設けられているので、各傾斜面がそれぞれ異なる輝度でより一層、キラキラ光って見える。即ち、それぞれ異なる輝度で光る傾斜面に凹部形成時に生じるウエルドが挟まれるため、ウエルドが視認しにくくなる。
【００１１】
請求項３記載の発明は、正面に目盛りに対応した凹部が形成された導光板において、前記凹部の一つに前記導光板の正面に対して傾斜する複数の傾斜面が、設けられ、そして、前記凹部の長手方向に沿って少なくとも３つの前記傾斜面が、設けられていることを特徴とする導光板に存する。
【００１２】
請求項３記載の発明によれば、凹部の長手方向に沿って少なくとも３つの傾斜面が、設けられているので、各傾斜面がそれぞれ異なる輝度でキラキラ光って見える。即ち、それぞれ異なる輝度で光る傾斜面に凹部形成時に生じるウエルドが挟まれるため、ウエルドが視認しにくくなる。
【発明の効果】
【００１３】
以上説明したように請求項１及び３記載の発明によれば、それぞれ異なる輝度で光る傾斜面に凹部形成時に生じるウエルドが挟まれるため、ウエルドが視認しにくくなるので、良好な表示品位を保つことができる。しかも、立体感及び宝飾的効果をもたらす表示を行うことができる。
【００１４】
請求項２記載の発明によれば、それぞれ異なる輝度で光る傾斜面に凹部形成時に生じるウエルドが挟まれるため、ウエルドが視認しにくくなるので、より一層、良好な表示品位を保つことができる。しかも、より一層、立体感及び宝飾的効果をもたらす表示を行うことができる。
【発明を実施するための最良の形態】
【００１５】
以下、本発明の一実施の形態を図面に基づいて説明する。図１は、本発明の導光板を組み込んだコンビネーションメータの正面図である。図２は、図１に示すコンビネーションメータを構成する速度計の概念斜示図である。この図２では、速度計の一部を切り欠いて描いている。さらに、速度計を構成する部材が正面から透けて見えるように描いている。図３は、図２に示す速度計の断面図である。図４は、図２に示す速度計を構成するホルダ部、ケーシングの概略正面図である。
【００１６】
このコンビネーションメータ１は、例えば車両のインストルメントパネルに取り付けられる。コンビネーションメータ１には、車両の速度を指示する速度計２と、車両のエンジン回転数を指示する回転計３と、燃料残量を指示する燃料計４、水温を指示する水温計５と、ウォーニング６とが設けられている。
【００１７】
これら速度計２、回転計３、燃料計４、水温計５及びウォーニング６は、ケーシング７内に収容されている。ケーシング７の正面には見返し８が取り付けられている。見返し８は、上記速度計２、回転計３、燃料計４、水温計５及びウォーニング６に対向する部分に開口が設けられ、ケーシング７内に収容された配線基板や内機などを隠す。また、ケーシング７の正面側には表ガラス９が取り付けられている。
【００１８】
上述した速度計２は、車速を示す数字が形成された文字板２１と、この文字板２１の背面に設けた表示器としての液晶ディスプレイ（ＬＣＤ）２２と、この文字板２１の正面側に配置されて文字板２１の外周を囲むリング部２３と、文字板２１に形成された指標を指示する導光部材で構成された指針２４とを有している。
【００１９】
次に、図２〜図４を参照して速度計２の更に詳細な構成について説明する。なお、回転計３については、速度計２とほぼ同様の構成であるためここでは説明を省略する。速度計２は、上記文字板２１及びＬＣＤ２２の背面に配置されて、ＣＰＵなどの電子部品２５や、指針２４を回転駆動するモータなどの内機２６などを搭載する配線基板２７を有している。配線基板２７には、文字板２１を光輝させるための文字板用光源Ｌ１と、指針２４を光輝させるための指針用光源Ｌ２と、リング部２３を光輝させるためのリング用光源Ｌ３とが搭載されている。
【００２０】
上述した文字板２１は、拡散板２１１の正面に設けられている。文字板２１は、光透過板で構成され、この光透過板の正面に遮光印刷が施されている。遮光印刷は、上述した車速を示す数字を切り抜いた部分に施されている。以上の構成によれば、文字板用光源Ｌ１が発光すると、文字板用光源Ｌ１からの光が、文字板２１の背面から入射される。
【００２１】
そして、背面から入射された光は、拡散板２１１によって拡散されて文字板２１全体に導光される。文字板２１全体に導光された光は、遮光印刷層２１２が施されていない車速を示す数字部分を透過して正面に出射される。これにより、文字板用光源Ｌ１が発光すると、文字板２１の車速を示す数字部分が光輝して視認される。
【００２２】
文字板２１は、正面視円形に設けられ、その中央に円形の開口２１３（図２参照）が設けられている。そして、文字板２１は、その開口２１３から背面に設けられたＬＣＤ２２が露出している。このＬＣＤ２２の背面には、ＬＣＤ照明用基板２８が配置されている。このＬＣＤ照明用基板２８には、複数のＬＣＤ用光源Ｌ４が搭載されている。上述したＬＣＤ２２及びＬＣＤ照明用基板２８は受け皿状のホルダ部２９内に収容・保持されている。このホルダ部２９の正面側には、図３に示すように、文字板２１が取り付けられている。
【００２３】
図３及び図４に示すように、上記ケーシング７とホルダ部２９との間にはアーム状のホルダ保持部３１が設けられている。ホルダ保持部３１は、ケーシング７に近づくに従ってその幅が大きくなるように形成されている。ケーシング７、ホルダ部２９及びホルダ保持部３１は一体に形成されている。これにより、ホルダ部２９がケーシング７に支持される。なお、ホルダ保持部３１は、指針２４が回動しない範囲に設けられている。ケーシング７の正面には、図３に示すように、リング部２３が取り付けられている。
【００２４】
また、ＬＣＤ２２、ＬＣＤ照明用基板２８にはそれぞれ、フレキシブルプリント配線板（ＦＣＰ）３３及び接続コネクタＣを介して配線基板２７に接続されており、配線基板２７から給電を受けている。
【００２５】
上述したリング部２３は、図５及び図６に示すように、正面視ドーナツ状に形成されている。このリング部２３は、導光板２３６と、この導光板２３６の正面に設けられた遮光層２３７とを備えている。遮光層２３７には、車速を示す目盛り２３１が切り抜いて形成されている。このリング部２３の外周の一部には、その背面からリング用光源Ｌ３に向かって突出したリング受光部２３２が形成されている。リング受光部２３２は、リング用光源Ｌ３に近づくに従って幅が狭くなるように形成されている。
【００２６】
以上の構成により、リング用光源Ｌ３が発光すると、リング用光源Ｌ３からの光がリング部２３のリング受光部２３２に入射される。リング受光部２３２内に入射された光は、リング部２３全体に導光される。リング部２３全体に導光された光は、遮光印刷が施されていない目盛り２３１を通って正面に出射される。これにより、リング用光源Ｌ３が発光すると、リング部２３の目盛り２３１が光輝して視認される。
【００２７】
また、導光板２３６の正面に目盛り２３１に対応した凹部２３６Ａが設けられている。この凹部２３６Ａについて図７〜図１０を参照して説明する。図７は図５に示す凹部２３６Ａの正面図であり、図８は図５に示す凹部２３６Ａの斜示図である。図９（Ａ）及び（Ｂ）は各々、図７に示す凹部２３６ＡのＩ−Ｉ線断面図及びＩＩ−ＩＩ線断面図であり、図１０（Ａ）及び（Ｂ）は各々、図７に示す凹部２３６ＡのＩＩＩ−ＩＩＩ線断面図及びＩＶ−ＩＶ線断面図である。
【００２８】
図７及び図８に示すように、凹部２３６Ａには、導光板２３６の正面に対して傾斜する複数の、例えば１６個の傾斜面Ｓ1〜Ｓ16が設けられている。詳しくは、長手方向Ｙ２中央よりもやや図面右側の短手方向Ｙ１に沿って（即ち短手方向Ｙ１と平行方向に）４つの傾斜面Ｓ13、Ｓ11、Ｓ12及びＳ14が設けられている（図９（Ａ）参照）。また、長手方向Ｙ２中央よりもやや図面左側の短手方向Ｙ１に沿って４つの傾斜面Ｓ13、Ｓ9、Ｓ10及びＳ14が設けられている（図９（Ｂ）参照）。
【００２９】
上述した導光板２３６によれば、凹部２３６Ａの短手方向Ｙ１に沿って複数の傾斜面Ｓ1〜Ｓ16のうち少なくとも３つが設けられている。このため、図６に示すように、リング部２３を導光してくるリング用光源Ｌ３や、文字板用光源Ｌ１からの光が各傾斜面Ｓ1〜Ｓ16で各々異なる方向に屈折して正面側に出射され、各傾斜面Ｓ1〜Ｓ16がそれぞれ異なる輝きでキラキラ光って見える。即ち、それぞれ異なる輝度で光る傾斜面Ｓ1〜Ｓ16に凹部２３６Ａ形成時に生じるウエルドが挟まれるため、ウエルドが目立たずに視認しにくくなり、良好な表示品位を保つことができる。しかも、立体感及び宝飾的効果をもたらす表示を行うことができる。
【００３０】
また、短手方向Ｙ１中央よりもやや図面上側の長手方向Ｙ２に沿って（即ち、長手方向Ｙ２と平行方向に）６つの傾斜面Ｓ1、Ｓ5、Ｓ9、Ｓ11、Ｓ7及びＳ3が設けられている（図１０（Ａ）参照）。また、短手方向Ｙ１中央よりもやや図面下側の長手方向Ｙ２に沿って６つの傾斜面Ｓ2、Ｓ6、Ｓ10、Ｓ12、Ｓ8及びＳ4が設けられている（図１０（Ｂ）参照）。
【００３１】
上述した導光板２３６によれば、凹部２３６Ａの長手方向Ｙ２に沿って複数の傾斜面Ｓ1〜Ｓ16のうち少なくとも３つが設けられている。このため、図６に示すように、リング部２３を導光してくるリング用光源Ｌ３や、文字板用光源Ｌ１からの光が各傾斜面Ｓ1〜Ｓ16で各々異なる方向に屈折して正面側に出射されるため、各傾斜面Ｓ1〜Ｓ16がそれぞれ異なる輝きでキラキラ光って見える。即ち、それぞれ異なる輝度で光る傾斜面Ｓ1〜Ｓ16に凹部２３６Ａ形成時に生じるウエルドが挟まれるため、ウエルドが目立たずに視認しにくくなり、良好な表示品位を保つことができる。しかも、立体感及び宝飾的効果をもたらす表示を行うことができる。
【００３２】
なお、上述した実施形態では、図７に示すように傾斜面Ｓ5、Ｓ6よりも図面左側においては、短手方向Ｙ１に沿って２つの傾斜面Ｓ1、Ｓ2しか設けていない。また、傾斜面Ｓ7、Ｓ8よりも図面右側においては、短手方向Ｙ１に沿って２つの傾斜面Ｓ3、Ｓ4しか設けていない。即ち、本発明は、凹部２３６Ａの少なくとも一部が短手方向Ｙ１に沿って少なくとも３つ傾斜面が設けられていればよく、２つしか傾斜面が設けていない部分があってもよい。
【００３３】
また、上述した実施形態では、１６個の傾斜面Ｓ1〜Ｓ16から凹部２３６Ａが形成されていたが、本発明はこれに限ったものではない。例えば、図１１に示すように、９つの傾斜面Ｓから凹部２３６Ａを形成してもよい。この場合、短手方向Ｙ１に沿って３つの傾斜面Ｓが形成されている（図１１（Ｂ）参照）。また、例えば図１２に示すように６つの傾斜面Ｓから凹部２３６Ａを形成してもよい。この場合、長手方向Ｙ２に沿って切ると３つの傾斜面Ｓが切れるように６つの傾斜面Ｓが形成されている。
【００３４】
また、上述した実施形態では、凹部２３６Ａの短手方向Ｙ１、長手方向Ｙ２の両方に沿って３つ以上の傾斜面Ｓ1〜Ｓ16が設けられていたが、本発明はこれに限ったものではない。例えば、凹部２３６Ａの短手方向Ｙ１に沿って３つ以上の傾斜面が設けられていれば、長手方向Ｙ２に沿って３つ以上の傾斜面を設けなくても良い（即ち長手方向Ｙ２に沿って２つの傾斜面を設けても良い）。また、凹部２３６Ａを長手方向Ｙ２に沿って３つ以上の傾斜面が設けられていれば、短手方向Ｙ１に沿って３つ以上の傾斜面を設けなくても良い（即ち短手方向Ｙ１に沿って２つの傾斜面を設けてもよい）。
【００３５】
また、上述した実施形態では、凹部２３６Ａの正面視形状は、長手方向Ｙ２の両端側に向かうに従って短手方向Ｙ２の幅が狭くなるように形成されていたが、本発明はこれに限ったものではない。例えば、正面視形状が矩形状であってもよい。
【００３６】
また、上述した実施形態では、目盛り２３１が設けられたリング部２３と、文字板２１とを別体に設けていたが、本発明はこれに限ったものではない。例えば、文字板２１に目盛り２３１を形成して、文字板２１を構成する導光板に上述した形状の凹部２３６Ａを設けても良い。
【００３７】
本発明の凹部２３６Ａの形状は、上記実施形態や図１１及び図１２に示したものに限定されることなく、本発明の骨子を逸脱しない範囲で種々変形可能である。即ち、凹部２３６Ａとしては、複数の傾斜面が設けられ、凹部２３６Ａの短手方向Ｙ１に沿って少なくとも３つの傾斜面が設けられていればよい。
【００３８】
また、凹部２３６Ａとしては、複数の傾斜面が設けられ、凹部２３６Ａの長手方向Ｙ２に沿って凹部２３６Ａを切ると少なくとも３つ以上の傾斜面が切られるように複数の傾斜面が設けられていればよい。
【００３９】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４０】
【図１】本発明の目盛り用導光板を組み込んだコンビネーションメータの正面図である。
【図２】図１に示すコンビネーションメータを構成する速度計の概念斜示図である。
【図３】図２に示す速度計の断面図である。
【図４】図２に示す速度計を構成するホルダ部、ケーシングの概略正面図である。
【図５】図２に示す速度計の部分断面斜示図である。
【図６】図２に示す速度計の断面図である。
【図７】図５に示す凹部の正面図である。
【図８】図５に示す凹部の斜示図である。
【図９】図７に示す凹部のＩ−Ｉ線断面図である。
【図１０】図７に示す凹部のＩＩ−ＩＩ線断面図である。
【図１１】（Ａ）及び（Ｂ）は各々、他の実施形態における凹部の正面図及び断面図である。
【図１２】（Ａ）及び（Ｂ）は各々、他の実施形態における凹部の正面図及び断面図である。
【図１３】（Ａ）は従来の目盛り用導光板を組み込んだ指針装置の正面図であり、（Ｂ）は（Ａ）に示す指針装置を構成する目盛りの部分正面図であり、（Ｃ）は（Ｂ）のＶＩ−ＶＩ線断面図である。
【符号の説明】
【００４１】
２３６      導光板
２３６Ａ    凹部
Ｓ1 〜Ｓ16  傾斜面
Ｙ１        長手方向
Ｙ２        短手方向
【図１】
2008008826.tif 000003
【図２】
2008008826.tif 000004
【図３】
2008008826.tif 000005
【図４】
2008008826.tif 000006
【図５】
2008008826.tif 000007
【図６】
2008008826.tif 000008
【図７】
2008008826.tif 000009
【図８】
2008008826.tif 000010
【図９】
2008008826.tif 000011
【図１０】
2008008826.tif 000012
【図１１】
2008008826.tif 000013
【図１２】
2008008826.tif 000014
【図１３】
2008008826.tif 000015